(57)【要約】　　　（修正有）【課題】複数の情報提供側計算機及び複数の情報収集側計算機を含む計算機を通信ネットワークで接続した計算機システムで、データ収集の際に通信ネットワークで送信されるデータ量を削減する。【解決手段】情報提供側計算機２、３は、自身が有する情報を、情報Ａ群２１１１、情報Ｂ群２１２１、及び、情報Ｃ群２１３１に区分し、それぞれに識別番号２１１２、２１２２、２１３２及び世代番号を含む世代番号情報を記憶する。情報収集側計算機１は、先ず、情報提供側計算機２、３から、識別番号及び世代番号を含む世代番号情報を取得し、取得した世代番号情報が、自身のローカルバッファ１２に記憶された世代番号情報に一致しない場合に、情報提供側計算機２、３から、対応する情報群の実際のデータを取得する。【選択図】　　　図１
2004110166.tif 000002
【特許請求の範囲】
【請求項１】
それぞれが所定の情報を記憶し且つ更新する機能を有する複数の情報提供側計算機と、該情報提供側計算機から前記所定の情報を間欠的又は周期的に収集する少なくとも１つの情報収集側計算機とを通信ネットワークで接続して成る計算機システムにおいて、
情報提供側計算機は、自身の所定の情報を更新する際に、更新した所定の情報と、該更新した所定の情報に対応付けた世代番号とを記憶し、
情報収集側計算機は、既に収集した所定の情報をその世代番号と共に保持し、前記所定の情報を新たに収集する際には、情報提供側計算機から前記世代番号を取得し、該取得した世代番号と既に保持する世代番号とを比較し、取得した世代番号が既に保持する世代番号と一致しないとき、前記取得した世代番号に対応する所定の情報を情報提供側計算機から取得することを特徴とする計算機システム。
【請求項２】
情報提供側計算機は、自身が保有する所定の情報を複数の情報群に区分し、該区分した情報群毎に、前記世代番号を記憶する、請求項１に記載の計算機システム。
【請求項３】
情報提供側計算機及び情報収集側計算機は、前記区分した情報群毎に、各情報群の所定の情報と識別番号と世代番号とを記憶する、請求項２に記載の計算機システム。
【請求項４】
情報提供側計算機は、前記情報群のそれぞれを複数のサブグループに区分し、該区分したサブグループ毎に、各サブグループの所定の情報と識別番号と世代番号とを記憶すると共に、更に、前記情報群毎の世代番号を記憶する、請求項２に記載の計算機システム。
【請求項５】
情報提供側計算機は、更新頻度の大小に基づいて、前記情報群又はサブグループの区分を行う、請求項２〜４の何れかに記載の計算機システム。
【請求項６】
それぞれが所定の情報を記憶し且つ更新する機能を有する複数の情報提供側計算機から、該情報提供側計算機と通信ネットワークを介して接続された情報収集側計算機を用いて、前記所定の情報を間欠的又は周期的に収集する情報収集方法において、
情報提供側計算機が所定の情報を更新する際に、更新した所定の情報と該更新した所定の情報に対応する世代番号とを前記情報提供側計算機に記憶し、
既に収集した所定の情報をその世代番号と共に情報収集側計算機に保持し、
情報収集側計算機が前記所定の情報を新たに収集する際に、情報提供側計算機から情報収集側計算機に世代番号を送信し、該送信した世代番号と情報収集側計算機に保持する世代番号とを比較し、送信した世代番号が情報収集側計算機に保持する世代番号と一致しないときに、前記送信した世代番号に対応する所定の情報を情報提供側計算機から情報収集側計算機に送信することを特徴とする情報収集方法。
【請求項７】
情報提供側計算機は、前記所定の情報を複数の情報群に区分し、該区分した情報群毎に且つその更新毎に対応する世代番号を付与して記憶する、請求項６に記載の情報収集方法。
【請求項８】
前記区分した情報群毎に、各情報群の所定の情報と識別番号と世代番号とを、情報提供側計算機に記憶する、請求項７に記載の情報収集方法。
【請求項９】
情報提供側計算機は、前記情報群のそれぞれを複数のサブグループに区分し、該区分したサブグループ毎に、各サブグループの所定の情報と識別番号と世代番号とを記憶すると共に、更に、前記情報群毎の世代番号を記憶する、請求項７に記載の情報収集方法。
【請求項１０】
前記情報群の区分を、更新頻度の大小に基づいて行う、請求項７〜９の何れかに記載の情報収集方法。
【発明の詳細な説明】
【０００１】
【発明の属する技術分野】
本発明は、計算機システム及び情報収集方法に関し、更に詳しくは、複数の情報提供側計算機と、その情報提供側計算機から所定の情報を間欠的又は周期的に収集する情報収集側計算機とを通信ネットワークで接続して成る計算機システム、及び、その情報収集方法に関する。
【０００２】
【従来の技術】
複数の装置間で他方の装置のデータを監視しつつ、そのデータに基づいて処理を行うシステムが知られている。ここで、通信ネットワークで接続された複数の装置間で状態監視を行う場合には、ＳＮＭＰ　（Ｓｉｍｐｌｅ　Ｎｅｔｗｏｒｋ　Ｍａｎａｇｅｍｅｎｔ　Ｐｒｏｔｏｃｏｌ）で情報のやり取りを行うのが一般的である。監視対象が計算機の場合には、やり取りする情報のデータ量が膨大になり、多数の計算機を通信ネットワークに接続した大規模な計機システムになると、更にやり取りする情報量が増大する。このため、通信回線に大きな負担を与えると共に、計算機自体の処理も増大する。
【０００３】
【発明が解決しようとする課題】
大規模システムでは、１つの監視装置で全体を監視するのは、監視装置の負荷量が過大になるという点で現実的ではない。このような場合には、監視装置を複数台設置して分散監視を行うことになる。状態監視の際の通信量を削減する方法として、情報提供側に情報の更新があった場合に、情報提供側から情報収集側に向けて、更新した個所を通知するという手法が知られている。しかし、監視側計算機を複数備えた計算機システムでは、自身を監視している計算機の存在を、監視される計算機側で把握しなければならないという問題点があった。
【０００４】
本発明は、複数の情報提供側計算機と、これら情報提供側計算機から所定の情報を収集する少なくとも１つの情報収集側計算機とを通信ネットワークで接続して成る計算機システムを改良し、監視される計算機側が、監視する計算機側の構成を意識することなしに、状態監視の際に必要な通信データ量を削減することが出来る計算機システムを提供することを目的とする。
【０００５】
本発明は、更に、上記計算機システムを用いて情報を収集する情報収集方法を提供することを目的とする。
【０００６】
【課題を解決するための手段】
上記目的を達成するために、本発明に係る計算機システムは、それぞれが所定の情報を記憶し且つ更新する機能を有する複数の情報提供側計算機と、該情報提供側計算機から前記所定の情報を間欠的又は周期的に収集する少なくとも１つの情報収集側計算機とを通信ネットワークで接続して成る計算機システムにおいて、
情報提供側計算機は、自身の所定の情報を更新する際に、更新した所定の情報と、該更新した所定の情報に対応付けた世代番号とを記憶し、
情報収集側計算機は、既に収集した所定の情報をその世代番号と共に保持し、前記所定の情報を新たに収集する際には、情報提供側計算機から前記世代番号を取得し、該取得した世代番号と既に保持する世代番号とを比較し、取得した世代番号が既に保持する世代番号と一致しないとき、前記取得した世代番号に対応する所定の情報を情報提供側計算機から取得することを特徴とする。
【０００７】
また、本発明に係る情報収集方法は、それぞれが所定の情報を記憶し且つ更新する機能を有する複数の情報提供側計算機から、該情報提供側計算機と通信ネットワークを介して接続された情報収集側計算機を用いて、前記所定の情報を間欠的又は周期的に収集する情報収集方法において、
情報提供側計算機が所定の情報を更新する際に、更新した所定の情報と該更新した所定の情報に対応する世代番号とを前記情報提供側計算機に記憶し、
既に収集した所定の情報をその世代番号と共に情報収集側計算機に保持し、
情報収集側計算機が前記所定の情報を新たに収集する際に、情報提供側計算機から情報収集側計算機に世代番号を送信し、該送信した世代番号と情報収集側計算機に保持する世代番号とを比較し、送信した世代番号が情報収集側計算機に保持する世代番号と一致しないときに、前記送信した世代番号に対応する所定の情報を情報提供側計算機から情報収集側計算機に送信することを特徴とする。
【０００８】
本発明の計算機システム及び情報収集方法は、情報収集側計算機は、情報の収集にあたって、先ず、情報提供側計算機から、世代番号を取得し、その世代番号が、自身が保持する世代番号と一致しない場合に、その世代番号に対応する、一般にデータ量が大きな所定のデータを取得する。掛かる構成を採用することにより、所定のデータが更新されていない場合には、情報提供側計算機から情報収集側計算機に送信するデータ量を削減できるので、通信ネットワーク及び情報収集計算機の負荷が軽減できる。
【０００９】
本発明の計算機システム及び情報収集方法は、複数の計算機で並列処理を行う計算機システムに好適に利用できる。この場合、各計算機や各計算機内部の周辺装置の負荷量を監視し、各計算機に生ずる個別の負荷の増大を抑えることが出来る。
【００１０】
ここで、本発明の計算機システム及び情報収集装置における好ましい態様では、情報提供側計算機は、自身が保有する所定の情報を複数の情報群に区分し、該区分した情報群毎に、前記世代番号を記憶する。この場合、例えば、所定の情報を、更新頻度の大きな情報群と、更新頻度が小さな情報群とに区分することにより、更に、通信データ量の削減が可能である。
【００１１】
上記好ましい態様では、前記情報提供側計算機及び情報収集側計算機は、前記区分した情報群毎に、各情報群の所定の情報と識別番号と世代番号とを記憶することが出来る。この場合、情報収集装置は、世代番号の取得に先立って、情報群の識別番号及び世代番号を取得し、識別番号の比較及び世代番号の比較を順次に行うことで、世代番号の比較に必要な処理量が低減できる。
【００１２】
更に、情報提供側計算機は、前記情報群のそれぞれを複数のサブグループに区分し、該区分したサブグループ毎に、各サブグループの所定の情報と識別番号と世代番号とを記憶すると共に、更に、前記情報群毎の世代番号を記憶することが好ましい。この場合、情報収集装置による情報収集の負荷が更に軽減可能となる。
【００１３】
【発明の実施の形態】
以下、図面を参照し、本発明の実施形態例に基づいて、本発明を更に詳細に説明する。図１を参照すると、本発明の第１の実施形態例に係る計算機システムは、１つ以上の情報収集側装置（計算機）１と、複数の情報提供側装置（計算機）２、３と、それらを結ぶ通信ネットワーク４とから構成されている。情報収集側装置１は、情報収集手段１１と、ローカルバッファ１２と、世代番号比較手段１３とを備える。
【００１４】
図２を参照すると、情報提供側装置２は、情報管理部２１と、情報提供手段２２と、情報更新手段２３と、世代番号更新手段２４とを備える。情報管理部２１では、情報提供側装置２が提供する情報を、更新頻度に応じて、情報Ａ群２１１１、情報Ｂ群２１２１、及び、情報Ｃ群２１３１に分けて管理している。例えば、更新頻度が最も小さなものを情報Ａ群２１１１、更新頻度が中間程度のものを情報Ｂ群２１２１、更新頻度が最も大きなものを情報Ｃ群２１３１に分類する。また、各情報群を識別するための識別番号２１１２、２１２２、２１３２を付けた世代番号を、各情報群に付加している。図１に示すように、情報提供側装置３の構成も、情報提供装置２と同じである。なお、情報提供側装置３の各要素の符号は、最上位が３であり、例えば、図２の２１、２１１２に代えて、３１、３１１２である。
【００１５】
情報提供側装置２、３は、自身の情報群を最初に登録する際には、その情報群に識別番号及び世代番号を付加して登録する。また、その情報群を更新する際には、それぞれの情報群に対応した世代番号も更新する。一方、情報収集側装置１は、情報提供側装置２、３から情報群を得て、ローカルバッファ１２に、各情報群を、その情報群の識別番号及び世代番号と共に保持しておく。情報収集装置１は、所定周期又は間欠的に、或いは、必要に応じて情報提供側装置２、３から必要な情報群を取得する処理を行う。
【００１６】
情報収集装置１は、再度情報群を取得する際には、情報収集手段１１によって、その識別番号及び世代番号のみを情報提供側装置２、３から取得し、世代番号比較手段１３によって、これをローカルバッファ１２に保持していた識別番号及び世代番号と比較する。情報収集装置１は、その比較の結果、世代番号が更新されていると、その世代番号に対応する情報群を、情報収集手段によって再び取得する。比較の結果、双方の世代番号が一致していると、更新が行われなかったものと判断し、情報群のデータ取得を行わない。
【００１７】
次に、図１及び図２のブロック図と、図３及び図４のフローチャートとを参照して、本実施形態例の計算機システムの処理について、更に詳細に説明する。
【００１８】
情報提供側装置２、３の処理は図３に示されている。情報提供側装置２、３は、例えば自身の計算機処理における負荷量等の状態の変化を検出すると、情報更新手段２３によって、情報管理部２１の情報を、情報群毎に更新する（ステップＡ１）。次いで、世代番号更新手段２４により、更新した情報群に応じて、対応する世代番号をインクリメント（＋１）する（ステップＡ２）。
【００１９】
情報収集側装置１の処理は図４に示されている。情報収集側装置１は、例えば一定周期毎の情報収集のタイミングで、情報収集手段１１により、情報提供手段２２、３２及び通信ネットワーク４を介して、情報収集側装置２、３から、情報群の識別情報及び世代番号を含む世代番号情報を取得する（図４のステップＢ１）。情報群の識別情報は、例えば、情報群のファイル番号でもよく、或いは、最初の登録の際に付けた、各世代番号がそれから派生するオリジナルの世代番号を示すものでもよい。
【００２０】
情報収集側装置１は、世代番号比較手段１３により、その世代番号情報に含まれる識別情報が、ローカルバッファ１２に保持されているか否かを調べ（ステップＢ２）、更に、取得した世代番号とローカルバッファ１２に保持されている世代番号とが等しいか否かを調べる（ステップＢ３）。取得した情報群の識別情報がローカルバッファ１２に保持されていない場合、或いは、双方の世代番号値が等しくない場合には、情報収集装置１は、情報提供側装置２又は３から、その世代番号に対応する情報群を取得する。取得にあたっては、情報収集手段１１により、情報提供手段２２または３２と、通信ネットワーク４を介して、情報収集側装置２または３から取得する。取得した情報群は、世代番号情報（識別情報及び世代番号）と共に、ローカルバッファ１２に保持する（ステップＢ４）。世代番号がローカルバッファ１２に保持されている世代番号と等しい場合には、すでに正しい情報群がローカルバッファ１２に保持されていることになるので、情報群を取得せずに処理を終了する。
【００２１】
次に、図５を参照し、具体例を用いて本実施形態例における処理を更に説明する。例えば、情報収集側装置１には、情報Ｃ群２１３１、および、その世代番号情報である識別情報２１３２及び世代番号“１００”が、既にローカルバッファ１２に、コピーされ保持されているものとする（図５の（１））。情報提供側装置２の負荷状態が変化し、情報提供側装置２が、情報Ｃ群２１３１の情報を更新したとする（図３のステップＡ１）。情報Ｃ群２１３１の情報を更新したので、識別番号２１３２の世代番号をインクリメント（＋１）して“１０１”とする（ステップＡ２）（図５の（２））。
【００２２】
ここで、情報収集側装置１が情報収集をするタイミングになると、情報収集側装置１は、その他の識別番号と共に、識別番号２１３２を取得する（図４のステップＢ１）。識別番号２１３２は、ローカルバッファ１２に保持されている（ステップＢ２）。取得した識別番号２１３２の世代番号は“１０１”で、ローカルバッファ１２に保持されている世代番号は“１００”なので、等しくない（ステップＢ３）。従って、情報収集側装置１は、識別番号２１３２に対応する情報Ｃ群２１３１を取得し、これを識別番号２１３２の世代番号“１０１”と共にローカルバッファ１２に保持する（ステップＢ４）（図５の（３））。その後に、再び情報収集側装置１が情報収集をするタイミングになると、情報収集側装置１は、識別番号２１３２を取得する（ステップＢ１）。
【００２３】
識別番号２１３２は、ローカルバッファ１２に保持されている（ステップＢ２）。取得した識別番号２１３２の世代番号は“１０１”で、ローカルバッファ１２に保持されている世代番号も“１０１”なので、等しい（ステップＢ３）。従って、情報収集側装置１は、情報Ｃ群２１３１の取得を行わずに処理を終了する。
【００２４】
上記実施形態例における処理によると、情報収集側装置１による世代番号情報の取得及び比較によって、情報提供側装置で情報の更新が行われなかったことが判明すると、情報収集側装置１は、情報の取得を行わないので、通信ネットワークを介して送信される情報量が削減でき、通信ネットワーク及び情報収集装置における情報処理量が削減できる。
【００２５】
図６は、本発明の第２の実施形態例に係る計算機システムにおける情報提供側装置の構成を示す。本実施形態例の情報提供側装置２は、情報管理部２１内の世代番号の管理が複数階層になった点で、図２に示された情報提供側装置と異なる。本実施形態例における情報提供側装置２では、情報群が更新された場合に、対応する世代番号をインクリメント（＋１）するのは、先の実施形態例と同様であるが、世代番号をインクリメントしたときには、さらにその上位の世代番号があれば、それもインクリメントする。
【００２６】
図６の実施形態例では、情報Ａ群２１１１を更新した際には、識別番号２１１２の世代番号をインクリメントし、さらに上位の識別番号２１１３の世代番号をインクリメントする。情報Ｂ群２１２１を更新した際には、識別番号２１２２の世代番号をインクリメントし、さらに上位の世代番号２１１３をインクリメントする。情報Ｃ群２１３１を更新した際には、世代番号２１３３をインクリメントする。世代番号２１３３には、これ以上に上位の世代番号はないので、１回のインクリメントで終了である。本実施形態例における情報収集側装置１の処理は、図４のステップＢ４の部分を図７に示すフローチャートに置き換えたものである。
【００２７】
情報収集側装置１は、まず最上位の世代番号情報を取得し、先の実施形態例（図４）と同様に、ローカルバッファ１２に保持している世代番号情報と比較し、世代番号が等しくなければ図７の処理に移行する。等しければそれ以上の取得を行わずに処理を終了する。図７では、さらに下位の世代番号情報をチェックし、世代番号が等しければその世代番号に関しては終了し、等しくなければさらに下位をチェックしていく。以下、詳細に説明する。
【００２８】
図７において、まず更新された世代番号情報、つまり、どの装置のどの情報群かを示す識別番号（例えば、２１１１）と、その識別番号の世代番号値（１００）とを含む世代番号情報を、ローカルバッファ１２に保持する（ステップＢ４１）。さらに下位の世代番号情報が存在すれば（ステップＢ４２）、一階層下の世代番号情報をすべて情報提供側装置２から取得する（ステップＢ４３）。それぞれの世代番号情報について、その識別番号をローカルバッファ１２に保持しているか否か、取得した世代番号がローカルバッファ１２に保持している世代番号と等しいか否かをチェックする（ステップＢ４４、Ｂ４５）。ローカルバッファ１２に保持している世代番号と等しければ、その世代番号情報に関しての処理を終了する。
【００２９】
取得した識別番号をローカルバッファ１２に保持していない場合、或いは、その世代番号がローカルバッファ１２に保持している世代番号と等しくない場合には、ステップＢ４１に戻ってその世代番号情報をローカルバッファ１２に保持し、さらに下位の世代番号情報をチェックする（ステップＢ４２）。下位に世代番号情報がなければ、先にローカルバッファ１２に保持した世代番号に対応する情報群を情報提供側装置から取得し、ローカルバッファ１２に保持して終了となる（ステップＢ４６）。次に、更に具体例について説明する。
【００３０】
図８及び９は、第２の実施形態例に係る計算機システムにおける処理を順次に示している。例えば、情報収集側装置１に、それぞれが情報提供側装置２の情報である情報Ａ群２１１１およびその識別番号２１１２の世代番号“１００”と、情報Ｂ群２１２１およびその識別番号２１２２の世代番号“２００”と、これらよりも上位の識別番号２１１３の世代番号“３００”とが、ローカルバッファ１２に保持されている状態にあるとする（図８の（１））。情報提供側装置２の状態が変化し、情報Ｂ群２１２１の情報を更新したとする（図３のステップＡ１）。情報Ｂ群２１２１の情報を更新したので、識別番号２１２２の世代番号をインクリメントして“２０１”とし、さらに上位の識別番号２１１３の世代番号をインクリメントして“３０１”とする（ステップＡ２）（図８の（２））。
【００３１】
ここで、情報収集側装置１の情報収集のタイミングになると、情報収集側装置１は、識別番号２１１３を取得する（図４のステップＢ１）。識別番号２１１３は、ローカルバッファ１２に保持されている（ステップＢ２）。取得した識別番号２１１３の識別番号は“３０１”で、ローカルバッファ１２に保持されている世代番号は“３００”なので、等しくない（ステップＢ３）。従って、情報収集側装置１は、識別番号２１１３の世代番号“３０１”をローカルバッファ１２に保持する（図６のステップＢ４１）。
【００３２】
さらに下位の世代番号情報が存在するので、情報収集側装置１は、識別番号２１１２および識別番号２１２２を取得する（ステップＢ４２、Ｂ４３）。識別番号２１１２はローカルバッファ１２に保持されていて（ステップＢ４４）、取得した識別番号２１１２の世代番号は“１００”で、ローカルバッファ１２に保持されている識別番号も“１００”なので、情報収集側装置１による識別番号２１１２に関する処理はここで終了する　（ステップＢ４５）（図９の（３））。一方、識別番号２１２２もローカルバッファ１２に保持されており（ステップＢ４４）、取得した識別番号２１２２の世代番号は“２０１”で、ローカルバッファ１２に保持されている世代番号は“２００”であるので（ステップＢ４５）、ステップＢ４１に戻り、情報収集側装置１は、識別番号２１２２の世代番号“２０１”をローカルバッファ１２に保持する。
【００３３】
さらに下位の世代番号情報は存在しないので（ステップＢ４２）、情報収集側装置１は、識別番号２１２２に対応する情報Ｂ群２１２１を取得し、ローカルバッファ１２に保持する（ステップＢ４６）（図９の（４））。この後、再び情報収集側装置１の情報収集のタイミングになると、情報収集側装置１は識別番号２１１３の世代番号を取得する（図４のステップＢ１）。識別番号２１１３はローカルバッファ１２に保持されている（ステップＢ２）。また、取得した識別番号２１３２の世代番号は“３０１”で、ローカルバッファ１２に保持されている識別番号も“３０１”なので、等しい（ステップＢ３）。従って、情報収集側装置１はそれ以上の取得をせずに処理を終了する。
【００３４】
本実施形態例では、情報提供装置側で、情報群をサブグループに分けて登録することにより、情報群の内容に変化がない場合には、情報収集のタイミングで情報収集側装置が取得すべき世代番号情報の数を減らすことが出来るので、第１の実施形態例に比して、更に情報収集側装置の処理負担が軽減する。
【００３５】
本発明は、複数の計算機をネットワークで接続して処理を行う如何なる計算機システムにも適用できる。例えば、本発明は、複数の計算機をネットワークで接続してマルチプロセッサ処理を行う計算機システムにおける各計算機の負荷を情報収集側計算機で監視し、その監視した負荷量に基づいて各計算機に処理を割り当てる計算機システムに好適に適用可能である。例えば情報群Ａとして計算機の構成を、情報群Ｂとして計算機の周辺装置の現在負荷を、情報群Ｃとして計算機の現在負荷をそれぞれ割り当てる。情報群Ｂ又はＣの情報として、当該情報提供側計算機の負荷量が大きい場合には、次に割り当てるべき処理を他の計算機の周辺装置又は計算機本体に割り当てるようにして、処理負担の分散を図る。
【００３６】
以上、本発明をその好適な実施形態例に基づいて説明したが、本発明の計算機システム及び情報収集方法は、上記実施形態例の構成にのみ限定されるものではなく、上記実施形態例の構成から種々の修正及び変更を施したものも、本発明の範囲に含まれる。
【００３７】
例えば、情報収集装置は、定期的に情報を収集してもよく、或いは、特定の指示に応答して、或いは、他の処理が終了した時点で間欠的に収集してもよい。また、情報提供側計算機及び情報収集側計算機で記憶する世代番号情報としては、世代番号のみを記憶し、世代番号比較手段は、情報収集側装置が情報提供側装置から収集した世代番号が、情報収集装置側に記憶されている世代番号に含まれるか否かを判別してもよい。
【００３８】
【発明の効果】
以上、説明したように、本発明に係る計算機システム及び情報収集方法によると、情報収集側計算機が情報提供側計算機から取得した世代番号が、既に情報収集側計算機に記憶されている場合には、情報収集側計算機による所定の情報の取得が行われないので、通信ネットワーク及び情報収集側計算機における処理負担が軽減する効果がある。
【図面の簡単な説明】
【図１】本発明の第１の実施形態例に係る計算機システムのブロック図。
【図２】図１の情報提供側装置の詳細を示すブロック図。
【図３】図１の情報提供側装置の処理を示すフローチャート。
【図４】図１の情報収集側装置の処理を示すフローチャート。
【図５】図１の計算機システムにおける具体的な処理の様子を示すブロック図。
【図６】本発明の第２の実施形態例に係る計算機システムにおける情報提供側装置のブロック図。
【図７】第２の実施形態例の計算機システムにおける情報収集側装置の処理の一部を示すフローチャート。
【図８】第２の実施形態例の計算機システムにおける具体的な処理の様子を示すブロック図。
【図９】図８に続く処理の様子を示すブロック図。
【符号の説明】
１：情報収集側装置
１１：情報収集手段
１２：ローカルバッファ
１３：世代番号比較手段
２、３：情報提供側装置
２１、３１：情報管理部
２１１２、２１２２、２１３２、３１１２、３１２２、３１３２：識別番号
２１１１、２１２１、２１３１、３１１１、３１２１、３１３１：情報群
２２、３２：情報提供手段
４：通信ネットワーク
【図１】
2004110166.tif 000003
【図２】
2004110166.tif 000004
【図３】
2004110166.tif 000005
【図４】
2004110166.tif 000006
【図５】
2004110166.tif 000007
【図６】
2004110166.tif 000008
【図７】
2004110166.tif 000009
【図８】
2004110166.tif 000010
【図９】
2004110166.tif 000011